(57)【要約】【課題】電源監視盤と各分電盤との接続を単純な電源故障信号によりインターフェイスできると共に、各分電盤内の電源故障もハードウェアによる電源監視パネルにより故障収集できる制御盤の電源監視方式を得る。【解決手段】複数台の分電盤１１で電源システムが構成され、各分電盤内の電源故障を電源監視盤３１で集中監視するものにおいて、チェックパルス発信器４２からチェックパルスを出力し、チェックパルス上に分電盤内の各電源故障接点４４をシリーズに接続してチェックパルス受信器４３に入力し、電源故障判定部４１にてチェックパルスのＯＦＦ検出を行い、各電源１３の電源故障を判定する電源監視パネル１２を各分電盤内に収納し、各分電盤の電源故障を電源監視盤の入力カード３３にて収集する。【選択図】図１
2007312473.tif 000002
【特許請求の範囲】
【請求項１】
複数台の分電盤で電源システムが構成され、各分電盤内の電源故障を電源監視盤で集中監視する制御盤の電源監視方式において、
チェックパルス発信器からチェックパルスを出力し、チェックパルス上に前記分電盤内の各電源故障接点をシリーズに接続してチェックパルス受信器に入力し、電源故障判定部にてチェックパルスのＯＦＦ検出を行い、各電源の電源故障を判定する電源監視パネルを前記各分電盤内に収納し、各分電盤の電源故障を前記電源監視盤の入力カードにて収集することを特徴とする制御盤の電源監視方式。
【請求項２】
電源監視盤に入力カードの代わりに入出力カードを収納し、各分電盤に設けられた電源故障表示器に電源故障情報を表示できることを特徴とする請求項１記載の制御盤の電源監視方式。
【請求項３】
電源監視盤に入力カードの代わりに入出力カードを収納し、各分電盤に設けられた電源遮断器により各分電盤内の電源に供給しているＡＣ給電を遮断できることを特徴とした請求項１記載の制御盤の電源監視方式。
【請求項４】
電源監視盤にモニタ用ディスプレイを収納し、各分電盤の電源故障情報をモニタ用ディスプレイに表示することを特徴とする請求項１記載の制御盤の電源監視方式。
【請求項５】
電源監視盤に音声告知装置を収納し、各分電盤の電源故障情報を音声告知装置に出力することを特徴とする請求項１又は請求項４記載の制御盤の電源監視方式。
【発明の詳細な説明】
【技術分野】
【０００１】
この発明は、複数台の分電盤で電源システムが構成され、各分電盤内の電源故障を電源監視盤で集中監視する制御盤の電源監視方式に関するものである。
【背景技術】
【０００２】
従来の電源監視システムの基本構成を図６に示す。図６において、電源監視盤３１と複数の分電盤１１の接続は伝送バス２２により行われている。電源監視盤３１は、ＣＰＵ（中央処理装置）３２と伝送インターフェイス３７を備えており、各分電盤１１は、複数の電源１３と監視手段１６をそれぞれ備えている。従来の電源監視方式においては、電源監視盤３１と各分電盤１１の接続は伝送バス２２により行われており、各分電盤１１内にＭＣＵ（マイクロコントローラ）と伝送インターフェイスによるソフトウェア処理を必要としている。
また、従来技術として、負荷の負荷電流を監視して監視情報を出力する監視手段と定格電流を超えた負荷電流を検出したとき回路を強制的に開放する遮断手段とを内蔵する分電盤と、分電盤が接続される伝送バスと、監視手段に対し監視情報を生成する際の監視条件を送信しまた監視手段からの監視情報を受信して、何れかの分電盤が過負荷状況になったことを検知したとき警報を発生する警報手段を含む電源監視盤とから構成することにより、無停電化の信頼度を向上させた電源監視システムが知られている（例えば、特許文献１参照）。
【０００３】
【特許文献１】特開平８−３２０７４２号公報
【発明の開示】
【発明が解決しようとする課題】
【０００４】
従来の電源監視システムでは、電源監視盤と各分電盤の接続に伝送バスを使用しているために、各分電盤内に高価なＭＣＵ（マイクロコントローラ）が必要であった。また、通信処理などのソフトウェアによる複雑な処理を行うため、装置の故障率が大きくなるなどの問題点があった。
【０００５】
この発明は上記のような課題を解決するためになされたものであり、電源監視盤と各分電盤との接続を単純な電源故障信号によりインターフェイスできると共に、各分電盤内の電源故障もハードウェアによる電源監視パネルにより故障収集できる制御盤の電源監視方式を提供することを目的とする。
【課題を解決するための手段】
【０００６】
この発明に係る制御盤の電源監視方式は、複数台の分電盤で電源システムが構成され、各分電盤内の電源故障を電源監視盤で集中監視するものにおいて、チェックパルス発信器からチェックパルスを出力し、チェックパルス上に分電盤内の各電源故障接点をシリーズに接続してチェックパルス受信器に入力し、電源故障判定部にてチェックパルスのＯＦＦ検出を行い、各電源の電源故障を判定する電源監視パネルを各分電盤内に収納し、各分電盤の電源故障を電源監視盤の入力カードにて収集するものである。
【発明の効果】
【０００７】
この発明によれば、各分電盤内の電源監視パネルにてチェックパルスによる電源故障監視を行うように構成したので、分電盤内の電源故障監視を１系統のチェックパルスによる集中故障監視ができる。
また、各分電盤内の電源監視結果も各分電盤単位に集約されているので、電源監視盤にインターフェイスする電源故障点数も少ないため、各分電盤の電源故障信号を単純な入力カードで収集することができる。
【発明を実施するための最良の形態】
【０００８】
実施の形態１．
以下、この発明の実施の形態１を図１及び図２に基づいて説明する。
図１はこの発明の実施の形態１における制御盤の電源監視方式の基本構成を示すシステム構成図であり、電源監視盤３１と複数の分電盤１１は電源故障の信号線２０で接続されている。電源監視盤３１はＣＰＵ（中央処理装置）３２と入力カード３３により構成されている。また各分電盤１１は電源監視パネル１２と複数の電源１３により構成されている。
図２はこの発明の実施の形態１における電源監視方式の分電盤の具体的構成を示すシステム構成図であり、前記分電盤１１に収納されている電源監視パネル１２と複数の電源１３により構成されている。電源監視パネル１２はチェックパルス発信器４２とチェックパルス受信器４３と電源故障判定部４１により構成されている。
【０００９】
次に動作について説明する。
先ず、図２にて分電盤１１に収納された電源監視パネル１２の機能から説明する。電源監視パネル１２内のチェックパルス発信器４２は例えば３ｋｈｚの方形波によるチェックパルスを出力している。このチェックパルス上に、各電源故障接点４４をシリーズに接続してチェックパルス受信器４３に入力する。チェックパルス受信器４３で受信された信号がＯＦＦするのは、各電源故障接点４４がオープンになった場合とチェックパルスの接続線が切れた場合である。そして、電源故障判定部４１にてチェックパルスのＯＦＦ検出を行い、各電源１３の電源故障を判定する。電源故障判定部４１で判定した結果は、分電盤１１内の電源故障信号２１として信号線２０に集められる。
次に、図１にて電源監視盤３１と各分電盤１１のインターフェイスについて説明する。各分電盤１１の電源故障信号２１は、信号線２０によって電源監視盤３１に収納された入力カード３３に集められる。電源監視盤３１に収納されたＣＰＵ３２は、前記入力カード３３のデータを読むことにより各分電盤１１の電源故障を認識することができる。
なお、上記実施の形態１では、電源監視パネル１２の電源故障判定部４１をチェックパルスを使用したハードウェアにて構成したので、各電源１３の故障を１本の接続線でシリーズに接続可能であり、接続線が切れた場合も検出でき、安価で信頼性の高い装置を得ることができる。
【００１０】
実施の形態２．
図３はこの発明の実施の形態２における制御盤の電源監視方式の基本構成を示すシステム構成図である。
上記実施の形態１では、電源監視盤３１の入力カード３３で各分電盤１１の電源故障情報を収集する場合について述べたが、この実施の形態２においては、図３に示すように、電源監視盤３１に入力カード３３の代わりに入出力カード３４を収納することにより、各分電盤１１に設けた電源故障表示器１４に電源故障情報を表示することができるようにしたものである。
【００１１】
実施の形態３．
図４はこの発明の実施の形態３における制御盤の電源監視方式の基本構成を示すシステム構成図である。
上記実施の形態１では、電源監視盤３１の入力カード３３で各分電盤１１の電源故障情報を収集する場合について述べたが、この実施の形態３においては、図４に示すように、電源監視盤３１に入力カード３３の代わりに入出力カード３４を収納することにより、各分電盤１１に設けた電源遮断器１５から各電源１３に供給しているＡＣ給電を遮断することができるようにしたものである。
【００１２】
実施の形態４．
図５はこの発明の実施の形態４における制御盤の電源監視方式の基本構成を示すシステム構成図である。
上記実施の形態１では、電源監視盤３１の入力カード３３で各分電盤１１の電源故障情報を収集する場合について述べたが、この実施の形態４においては、図５に示すように、電源監視盤３１に入力カード３３に加えてモニタ用ディスプレイ３５を収納することにより、各分電盤１１の電源故障情報を電源監視盤３１のモニタ用ディスプレイ３６に表示することができるようにしたものである。
【００１３】
実施の形態５．
図５はこの発明の実施の形態５における制御盤の電源監視方式の基本構成を示すシステム構成図である。
上記実施の形態１では、電源監視盤３１の入力カード（３３）で各分電盤（１１）の電源故障情報を収集する場合について述べたが、この実施の形態５においては、図５に示すように、電源監視盤３１に更に音声告知装置３６を収納することにより、各分電盤１１の電源故障情報を電源監視盤３１の音声告知装置３６に出力することができるようにしたものである。
【図面の簡単な説明】
【００１４】
【図１】この発明の実施の形態１における制御盤の電源監視方式の基本構成を示すシステム構成図である。
【図２】この発明の実施の形態１における電源監視方式の分電盤の具体的構成を示すシステム構成図である。
【図３】この発明の実施の形態２における制御盤の電源監視方式の基本構成を示すシステム構成図である。
【図４】この発明の実施の形態３における制御盤の電源監視方式の基本構成を示すシステム構成図である。
【図５】この発明の実施の形態４、５における制御盤の電源監視方式の基本構成を示すシステム構成図である。
【図６】従来の制御盤の電源監視方式の基本構成を示すシステム構成図である。
【符号の説明】
【００１５】
１１   分電盤
１２   電源監視パネル
１３   電源装置
１４   電源故障表示器
１５   電源遮断器
１６  監視手段
２０   電源故障の信号線
２１  電源故障信号
２２  伝送バス
３１   電源監視盤
３２   ＣＰＵ
３３   入力カード
３４   入出力カード
３５   モニタ用ディスプレイ
３６   音声告知装置
３７  伝送インターフェイス
４１   電源故障判定部
４２   チェックパルス発信器
４３   チェックパルス受信器
４４   電源故障接点
【図１】
2007312473.tif 000003
【図２】
2007312473.tif 000004
【図３】
2007312473.tif 000005
【図４】
2007312473.tif 000006
【図５】
2007312473.tif 000007
【図６】
2007312473.tif 000008